【手続補正書】
【提出日】平成20年7月2日(2008.7.2)
【手続補正１】
【補正対象書類名】明細書
【補正対象項目名】発明の名称
【補正方法】変更
【補正の内容】
【発明の名称】原稿搬送装置、及び画像形成装置、並びに記憶制御装置  
【手続補正２】
【補正対象書類名】明細書
【補正対象項目名】特許請求の範囲
【補正方法】変更
【補正の内容】
【特許請求の範囲】
【請求項１】  画像形成装置の画像読取り部に原稿を搬送する搬送手段と、発光部及び受光部から成る原稿検知手段と、前記発光部の光量を調整する調整手段と、前記調整手段により調整された前記光量の補正値を記憶する電気的書き込み・消去可能な揮発性記憶手段と、前記補正値を記憶する電気的書き込み・消去可能な不揮発性記憶手段とを備える原稿搬送装置において、
前記補正値が調整前の値に対して所定量以上変化しないときは、前記揮発性記憶手段にのみ前記補正値の書き込みを行い、前記不揮発性記憶手段には前記補正値の書き込みを行わない書き込み手段を備えることを特徴とする原稿搬送装置。
【請求項２】  前記調整手段による前記発光部の光量の調整は、前記原稿搬送装置の電源投入後前記原稿搬送装置がスタンバイ状態になってから所定時間おきに行われることを特徴とする請求項１記載の原稿搬送装置。
【請求項３】  前記揮発性記憶手段はＲＡＭであり、前記不揮発性記憶手段はＥＥＰＲＯＭであることを特徴とする請求項１又は２記載の原稿搬送装置。
【請求項４】  請求項１乃至３のいずれか１項に記載の原稿搬送装置を備え、前記原稿の画像に基づいて記録用シートに画像を形成することを特徴とする画像形成装置。
【請求項５】  画像形成装置の発光ユニットの光量を調整する調整手段により調整された前記光量の補正値に関するデータの、揮発性の第１の記憶装置及び不揮発性の第２の記憶装置に対する、書き込み処理を制御する記憶制御装置であって、
前記調整手段による前記発光ユニットの光量の調整が行われた場合において、前記調整手段により調整された前記補正値に関するデータが、前記第２の記憶装置に既に記憶されている前記補正値に関するデータに対し所定量以上の変化がない場合は、前記第２の記憶装置に対する前記調整手段により調整された前記補正値に関するデータの書き込み処理を禁止する記憶制御手段を有することを特徴とする記憶制御装置。
【請求項６】  前記記憶制御手段は、前記調整手段により前記発光ユニットの光量の調整が行われる度に、前記第１の記憶装置に対する前記調整手段により調整された前記補正値に関するデータを書き込み処理を許可することを特徴とする請求項５記載の記憶制御装置。
【請求項７】  前記記憶制御手段は、前記調整手段により前記発光ユニットの光量の調整が行われたことに応じて前記第１の記憶装置に書き込まれた前記調整手段により調整された前記補正値に関するデータと、前記第２の記憶装置に既に書き込まれている前記補正値に関するデータとを比較する比較手段を含み、前記記憶制御手段は、前記比較手段による比較結果に基づいて、前記第２の記憶装置に対する前記調整手段により調整された前記補正値に関するデータの書き込み処理を禁止するか否かを決定することを特徴とする請求項５又は６記載の記憶制御装置。
【請求項８】  前記記憶制御手段は、前記第１の記憶装置に書き込まれた前記調整手段により調整された前記補正値に関するデータが、前記第２の記憶装置に既に書き込まれた前記補正値に関するデータに対して、前記所定量以上の変化があると前記比較結果により判断したことに応じて、前記第１の記憶装置に対する前記調整手段により調整された前記補正値に関するデータを書き込み処理を許可することを特徴とする請求項７記載の記憶制御装置。
【請求項９】  前記発光ユニットは、前記画像形成装置の原稿搬送装置に設けられた原稿を検出するためのセンサであることを特徴とする請求項５乃至８のいずれか１項に記載の記憶制御装置。
【請求項１０】  前記調整手段による前記発光ユニットの光量の調整は、前記原稿搬送装置の電源投入後前記原稿搬送装置がスタンバイ状態になってから所定時間おきに行われることを特徴とする請求項９記載の記憶制御装置。
【請求項１１】  前記発光ユニットは、前記画像形成装置の画像形成ユニット本体に設けられたシートを検出するためのセンサであることを特徴とする請求項５乃至８のいずれか１項に記載の記憶制御装置。
【請求項１２】  前記調整手段による前記発光ユニットの光量の調整は、前記画像形成ユニット本体の電源投入後前記画像形成ユニット本体がスタンバイ状態になってから所定時間おきに行われることを特徴とする請求項１１記載の記憶制御装置。
【請求項１３】  前記発光ユニットは、前記画像形成装置のシート材後処理装置に設けられたシートを検出するセンサであることを特徴とする請求項５乃至８のいずれか１項に記載の記憶制御装置。
【請求項１４】  前記調整手段による前記発光ユニットの光量の調整は、前記シート材後処理装置の電源投入後前記シート材後処理装置がスタンバイ状態になってから所定時間おきに行われることを特徴とする請求項１３記載の記憶制御装置。
【請求項１５】  前記第１の記憶装置はＲＡＭを含み、前記第２の記憶装置はＥＥＰＲＯＭを含むことを特徴とする請求項５乃至１４いずれか１項に記載の記憶制御装置。
【請求項１６】  画像形成装置の補正手段により補正された補正値に関するデータの、記憶装置に対する、書き込み処理の実行可否を制御する記憶制御装置であって、
前記補正手段による補正が行われた場合において、前記補正手段により補正された補正値と、前記記憶装置に既に記憶されているデータによって示される補正値とで大差が無い場合、前記記憶装置に対する、前記補正手段により補正された補正値に関するデータの書き込み処理を禁止し、前記補正手段により補正された補正値と、前記記憶装置に既に記憶されているデータによって示される補正値とで大差がある場合に、前記記憶装置に対する、前記補正手段により補正された補正値に関するデータの書き込み処理を許可する、制御手段を有することを特徴とする記憶制御装置。
【請求項１７】  前記補正手段は、画像形成装置の発光ユニットの光量を補正することを特徴とする請求項１６記載の記憶制御装置。
【請求項１８】  前記記憶装置は、揮発性の第１の記憶装置及び不揮発性の第２の記憶装置を含み、前記補正手段により補正された補正値と、前記記憶装置に既に記憶されているデータによって示される補正値とで大差が無い場合、前記制御手段は、前記第１、第２の記憶装置のうちの、前記第１の記憶装置に対する、前記データの書き込み処理は行い、前記第２の記憶装置に対する、前記補正手段により補正された補正値に関するデータの書き込み処理を禁止することを特徴とする請求項１６又は１７記載の記憶制御装置。
【手続補正３】
【補正対象書類名】明細書
【補正対象項目名】０００１
【補正方法】変更
【補正の内容】
【０００１】
【発明の属する技術分野】
本発明は、原稿搬送装置、及び画像形成装置、並びに記憶制御装置に関し、特に、複写機、レーザビームプリンタ等の画像形成装置の原稿搬送装置であって、画像形成装置の画像読取り部に原稿を搬送する原稿搬送装置、及び画像形成装置、並びに記憶制御装置に関する。
【手続補正４】
【補正対象書類名】明細書
【補正対象項目名】０００７
【補正方法】変更
【補正の内容】
【０００７】
本発明の目的は、装置の適正な出力処理を維持するために光学式センサの光量の調整等を頻繁に行ったとしても光学式センサの光量の補正値等のデータの書き込み可能且つ書き込み回数に制限がある不揮発性記憶媒体等への書き込み回数が制限回数を越えるのを防止して高寿命化を図ることができる原稿搬送装置、及び画像形成装置、並びに記憶制御装置を提供することにある。
【手続補正５】
【補正対象書類名】明細書
【補正対象項目名】０００８
【補正方法】変更
【補正の内容】
【０００８】
【課題を解決するための手段】
上述の目的を達成するために、請求項１記載の原稿搬送装置は、画像形成装置の画像読取り部に原稿を搬送する搬送手段と、発光部及び受光部から成る原稿検知手段と、前記発光部の光量を調整する調整手段と、前記調整手段により調整された前記光量の補正値を記憶する電気的書き込み・消去可能な揮発性記憶手段と、前記補正値を記憶する電気的書き込み・消去可能な不揮発性記憶手段とを備える原稿搬送装置において、前記補正値が調整前の値に対して所定量以上変化しないときは、前記揮発性記憶手段にのみ前記補正値の書き込みを行い、前記不揮発性記憶手段には前記補正値の書き込みを行わない書き込み手段を備えることを特徴とする。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
上述の目的を達成するために、請求項５記載の記憶制御装置は、画像形成装置の発光ユニットの光量を調整する調整手段により調整された前記光量の補正値に関するデータの、揮発性の第１の記憶装置及び不揮発性の第２の記憶装置に対する、書き込み処理を制御する記憶制御装置であって、前記調整手段による前記発光ユニットの光量の調整が行われた場合において、前記調整手段により調整された前記補正値に関するデータが、前記第２の記憶装置に既に記憶されている前記補正値に関するデータに対し所定量以上の変化がない場合は、前記第２の記憶装置に対する前記調整手段により調整された前記補正値に関するデータの書き込み処理を禁止する記憶制御手段を有することを特徴とする。
【手続補正９】
【補正対象書類名】明細書
【補正対象項目名】００１５
【補正方法】変更
【補正の内容】
【００１５】
請求項６記載の記憶制御装置は、請求項５記載の記憶制御装置において、前記記憶制御手段は、前記調整手段により前記発光ユニットの光量の調整が行われる度に、前記第１の記憶装置に対する前記調整手段により調整された前記補正値に関するデータを書き込み処理を許可することを特徴とする。
【手続補正１０】
【補正対象書類名】明細書
【補正対象項目名】００１６
【補正方法】変更
【補正の内容】
【００１６】
請求項７記載の記憶制御装置は、請求項５又は６記載の記憶制御装置において、前記記憶制御手段は、前記調整手段により前記発光ユニットの光量の調整が行われたことに応じて前記第１の記憶装置に書き込まれた前記調整手段により調整された前記補正値に関するデータと、前記第２の記憶装置に既に書き込まれている前記補正値に関するデータとを比較する比較手段を含み、前記記憶制御手段は、前記比較手段による比較結果に基づいて、前記第２の記憶装置に対する前記調整手段により調整された前記補正値に関するデータの書き込み処理を禁止するか否かを決定することを特徴とする。
【手続補正１１】
【補正対象書類名】明細書
【補正対象項目名】００１７
【補正方法】変更
【補正の内容】
【００１７】
請求項８記載の記憶制御装置は、請求項７記載の記憶制御装置において、前記記憶制御手段は、前記第１の記憶装置に書き込まれた前記調整手段により調整された前記補正値に関するデータが、前記第２の記憶装置に既に書き込まれた前記補正値に関するデータに対して、前記所定量以上の変化があると前記比較結果により判断したことに応じて、前記第１の記憶装置に対する前記調整手段により調整された前記補正値に関するデータを書き込み処理を許可することを特徴とする。
【手続補正１２】
【補正対象書類名】明細書
【補正対象項目名】００１８
【補正方法】変更
【補正の内容】
【００１８】
請求項９記載の記憶制御装置は、請求項５乃至８のいずれか１項に記載の記憶制御装置において、前記発光ユニットは、前記画像形成装置の原稿搬送装置に設けられた原稿を検出するためのセンサであることを特徴とする。
【手続補正１３】
【補正対象書類名】明細書
【補正対象項目名】００１９
【補正方法】変更
【補正の内容】
【００１９】
請求項１０記載の記憶制御装置は、請求項９記載の記憶制御装置において、前記調整手段による前記発光ユニットの光量の調整は、前記原稿搬送装置の電源投入後前記原稿搬送装置がスタンバイ状態になってから所定時間おきに行われることを特徴とする。
【手続補正１４】
【補正対象書類名】明細書
【補正対象項目名】００２０
【補正方法】変更
【補正の内容】
【００２０】
請求項１１記載の記憶制御装置は、請求項５乃至８のいずれか１項に記載の記憶制御装置において、前記発光ユニットは、前記画像形成装置の画像形成ユニット本体に設けられたシートを検出するためのセンサであることを特徴とする。
【手続補正１５】
【補正対象書類名】明細書
【補正対象項目名】００２１
【補正方法】変更
【補正の内容】
【００２１】
請求項１２記載の記憶制御装置は、請求項１１記載の記憶制御装置において、前記調整手段による前記発光ユニットの光量の調整は、前記画像形成ユニット本体の電源投入後前記画像形成ユニット本体がスタンバイ状態になってから所定時間おき行われることを特徴とする。
【手続補正１６】
【補正対象書類名】明細書
【補正対象項目名】００２２
【補正方法】変更
【補正の内容】
【００２２】
請求項１３記載の記憶制御装置は、請求項５乃至８のいずれか１項に記載の記憶制御装置において、前記発光ユニットは、前記画像形成装置のシート材後処理装置に設けられたシートを検出するセンサであることを特徴とする。
【手続補正１７】
【補正対象書類名】明細書
【補正対象項目名】００２３
【補正方法】変更
【補正の内容】
【００２３】
請求項１４記載の記憶制御装置は、請求項１３記載の記憶制御装置において、前記調整手段による前記発光ユニットの光量の調整は、前記シート材後処理装置の電源投入後前記シート材後処理装置がスタンバイ状態になってから所定時間おきに行われることを特徴とする。
【手続補正１８】
【補正対象書類名】明細書
【補正対象項目名】００２４
【補正方法】変更
【補正の内容】
【００２４】
請求項１５記載の記憶制御装置は、請求項５乃至１４いずれか１項に記載の記憶制御装置において、前記第１の記憶装置はＲＡＭを含み、前記第２の記憶装置はＥＥＰＲＯＭを含むことを特徴とする。
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】変更
【補正の内容】
【００２７】
上述の目的を達成するために、請求項１６記載の記憶制御装置は、画像形成装置の補正手段により補正された補正値に関するデータの、記憶装置に対する、書き込み処理の実行可否を制御する記憶制御装置であって、前記補正手段による補正が行われた場合において、前記補正手段により補正された補正値と、前記記憶装置に既に記憶されているデータによって示される補正値とで大差が無い場合、前記記憶装置に対する、前記補正手段により補正された補正値に関するデータの書き込み処理を禁止し、前記補正手段により補正された補正値と、前記記憶装置に既に記憶されているデータによって示される補正値とで大差がある場合に、前記記憶装置に対する、前記補正手段により補正された補正値に関するデータの書き込み処理を許可する、制御手段を有することを特徴とする。
【手続補正２２】
【補正対象書類名】明細書
【補正対象項目名】００２８
【補正方法】変更
【補正の内容】
【００２８】
請求項１７記載の記憶制御装置は、請求項１６記載の記憶制御装置において、前記補正手段は、画像形成装置の発光ユニットの光量を補正することを特徴とする。
【手続補正２３】
【補正対象書類名】明細書
【補正対象項目名】００２９
【補正方法】変更
【補正の内容】
【００２９】
請求項１８記載の記憶制御装置は、請求項１６又は１７記載の記憶制御装置において、前記記憶装置は、揮発性の第１の記憶装置及び不揮発性の第２の記憶装置を含み、前記補正手段により補正された補正値と、前記記憶装置に既に記憶されているデータによって示される補正値とで大差が無い場合、前記制御手段は、前記第１、第２の記憶装置のうちの、前記第１の記憶装置に対する、前記データの書き込み処理は行い、前記第２の記憶装置に対する、前記補正手段により補正された補正値に関するデータの書き込み処理を禁止することを特徴とする。
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００９７
【補正方法】変更
【補正の内容】
【００９７】
【発明の効果】
以上詳細に説明したように、請求項１記載の原稿搬送装置及び請求項４記載の画像形成装置によれば、光学式センサの発光部の光量の補正値が調整前の値に対して所定量以上変化しないときは、揮発性記憶手段にのみ補正値の書き込みを行い、不揮発性記憶手段には補正値の書き込みを行わないので、不揮発性記憶手段への書き込み回数を減らすことができ、その結果、装置の適正な出力処理を維持するために発光部の光量の調整等を頻繁に行ったとしても、発光部の光量の補正値の書き込み可能且つ書き込み回数に制限がある不揮発性記憶媒体への書き込み回数が制限回数を越えるのを防止して高寿命化を図ることができる。
【手続補正２７】
【補正対象書類名】明細書
【補正対象項目名】００９８
【補正方法】変更
【補正の内容】
【００９８】
請求項２記載の原稿搬送装置によれば、発光部の光量の調整が、装置の電源投入後装置がスタンバイ状態になってから所定時間おきに行われるので、発光部の光量が安定しているときに発光部の光量の調整を行うことができる。
【手続補正２８】
【補正対象書類名】明細書
【補正対象項目名】００９９
【補正方法】変更
【補正の内容】
【００９９】
以上詳細に説明したように、請求項５記載の記憶制御装置によれば、画像形成装置の発光ユニットの光量の調整が行われ、調整された補正値に関するデータが、不揮発性の第２の記憶装置に既に記憶されている補正値に関するデータに対し所定量以上の変化がない場合は、不揮発性の第２の記憶装置に調整された補正値に関するデータの書き込み処理を禁止するので、不揮発性の第２の記憶装置への書き込み回数を減らすことができ、その結果、装置の適正な出力処理を維持するために発光ユニットの光量の調整等を頻繁に行ったとしても、発光ユニットの光量の補正値のデータの書き込み可能且つ書き込み回数に制限がある不揮発性記憶媒体への書き込み回数が制限回数を越えるのを防止して高寿命化を図ることができる。
【手続補正２９】
【補正対象書類名】明細書
【補正対象項目名】０１００
【補正方法】変更
【補正の内容】
【０１００】
請求項１０記載の記憶制御装置、請求項１２記載の記憶制御装置、及び請求項１４記載の記憶制御装置によれば、発光ユニットの光量の調整が、装置の電源投入後装置がスタンバイ状態になってから所定時間おきに行われるので、発光ユニットの光量が安定しているときに発光ユニットの光量の調整を行うことができる。
【手続補正３０】
【補正対象書類名】明細書
【補正対象項目名】０１０１
【補正方法】変更
【補正の内容】
【０１０１】
以上詳細に説明したように、請求項１６記載の記憶制御装置によれば、補正が行われ、補正された補正値と、画像形成装置の記憶装置に既に記憶されているデータによって示される補正値とで大差が無い場合、記憶装置に対する、補正された補正値に関するデータの書き込み処理を禁止し、補正された補正値と、記憶装置に既に記憶されているデータによって示される補正値とで大差がある場合に、記憶装置に対する、補正された補正値に関するデータの書き込み処理を許可するので、画像形成装置にて適正な出力結果を得られるようにするための補正処理に用いられる記憶装置への書き込み回数を減らすことができ、その結果、記憶装置の寿命が、画像形成装置にて適正な出力結果を得られることを維持するがために、短くなる等の不具合の発生を防止して高寿命化を図ることが出来る。